(57)【要約】      （修正有）【課題】作業者が加工の状況を確認しやすく、窓が損傷をうけても、効率的に窓を交換することが可能な工作機械を提供する。【解決手段】工作機械の周囲を覆うためにガードを設ける。そのガードが工作機械の加工部を視認するための窓を有する。窓（２０）が上下方向に配置された複数の窓部分（２０ａ、２０ｂ、２０ｃ、２０ｄ、２０ｅ、２０ｆ）から構成されている。上側の窓部分が下側の窓部分よりも広い。複数の窓部分（２０ａ、２０ｂ、２０ｃ、２０ｄ、２０ｅ、２０ｆ）の上下方向の長さを下側から上側へ順次少しずつ長くし、かつ、複数の窓部分（２０ａ、２０ｂ、２０ｃ、２０ｄ、２０ｅ、２０ｆ）の左右方向の寸法を同じにしている。【選択図】図２
0003103602.tif 000002
【実用新案登録請求の範囲】
【請求項１】
工作機械本体の加工部を覆うためにガードを設け、ガードが工作機械本体の加工部を視認するための窓を有する工作機械において、窓（２０）が、１枚の透明なガラスで構成されており、その１枚のガラスに対して、上下左右に複数の窓部分（２０ａ、２０ｂ、２０ｃ、２０ｄ、２０ｅ、２０ｆ）が格子状の枠（１７）によって分割して配置されており、窓部分の縦方向の寸法は、隣接する２つの窓部分で比較したとき、上側の窓部分が下側の窓部分よりも広くなっていることを特徴とする工作機械。
【請求項２】
最も下側の窓部分（２０ｆ）が横長の長方形であり、かつ、最も上側の窓部分（２０ａ）が縦長の長方形であり、さらに、最も上側の窓部分は、上下方向の長さが左右方向の長さの２倍以上になっており、最も下側の窓部分は、上下方向の長さが左右方向の長さの２分の１以下になっていることを特徴とする請求項１に記載の工作機械。
【請求項３】
複数の窓部分（２０ａ、２０ｂ、２０ｃ、２０ｄ、２０ｅ、２０ｆ）の上下方向の長さを下側から上側へ順次少しずつ長くし、かつ、複数の窓部分（２０ａ、２０ｂ、２０ｃ、２０ｄ、２０ｅ、２０ｆ）の左右方向の寸法を同じにしていることを特徴とする請求項１又は２に記載の工作機械。
【考案の詳細な説明】
【技術分野】
【０００１】
本考案は、工作機械本体の加工部を覆うためのガードを備え、ガードが工作機械本体の加工部を視認するための窓を有する構成の工作機械に関する。
【背景技術】
【０００２】
工作機械の加工部に設けるガード（安全ガード）は、回転工具又は被加工物が飛び出して作業者に当たることや周辺に飛散することを防止するためのものである。
【０００３】
作業者が加工状況を確認するため、ガードに窓を設けることは公知である。
【０００４】
強化ガラスによって構成した窓を設けて、安全ガードの内側の機械加工部を見易くしている。そして、ガード内で、回転工具によって被加工物が所望どおりに加工されていることを容易に確認できるようになっている。
【０００５】
特許文献１には、ガードの一例としてカバーを備えた工作機械が示されている。
【特許文献１】特願２００３−３２７６４４号明細書
【考案の開示】
【考案が解決しようとする課題】
【０００６】
従来のガードにおいては、大きな寸法の窓を１個設けるか、あるいは、小さな寸法の窓を複数個並べて設けていた。
【０００７】
１個の窓のガードの場合、強度が弱いという欠点があった。
【０００８】
複数の窓を並べて配置するガードの場合、各窓の周辺に存在する枠が強度を向上させるが、その枠が妨害となって、窓から加工部を見づらくなる欠点があった。
【０００９】
そこで、本考案は、作業者が工作機械の加工部における加工の状況を窓から確認しやすく、かつ、必要とする強度を確保することが可能な工作機械を提供することを目的としている。
【課題を解決するための手段】
【００１０】
本考案の解決手段を例示すると、以下のとおりである。
【００１１】
（１）工作機械本体の加工部を覆うためにガードを設け、ガードが工作機械本体の加工部を視認するための窓を有する工作機械において、窓（２０）が、１枚の透明なガラスで構成されており、その１枚のガラスに対して、上下左右に複数の窓部分（２０ａ、２０ｂ、２０ｃ、２０ｄ、２０ｅ、２０ｆ）が格子状の枠（１７）によって分割して配置されており、窓部分の縦方向の寸法は、隣接する２つの窓部分で比較したとき、上側の窓部分が下側の窓部分よりも広くなっていることを特徴とする工作機械。
【００１２】
（２）最も下側の窓部分（２０ｆ）が横長の長方形であり、かつ、最も上側の窓部分（２０ａ）が縦長の長方形であり、さらに、最も上側の窓部分は、上下方向の長さが左右方向の長さの２倍以上になっており、最も下側の窓部分は、上下方向の長さが左右方向の長さの２分の１以下になっていることを特徴とする前述の工作機械。
【００１３】
（３）複数の窓部分（２０ａ、２０ｂ、２０ｃ、２０ｄ、２０ｅ、２０ｆ）の上下方向の長さを下側から上側へ順次少しずつ長くし、かつ、複数の窓部分（２０ａ、２０ｂ、２０ｃ、２０ｄ、２０ｅ、２０ｆ）の左右方向の寸法は同じにしていることを特徴とする前述の工作機械。
【考案の効果】
【００１４】
本考案によれば、作業者が加工の状況を確認しやすく、しかも、窓から工作機械の加工部を視認しやすい。
【００１５】
１枚のガラスと格子状の枠を組み合わせているので、強度を増大させ、かつ、ガラスの割れや損傷を防止することができる。その結果、オペレータの作業時の安全性が向上する。
【００１６】
１枚のガラスに対して複数の窓部分を設けて、上方に行くにつれて、上側の窓部分の上下方向の長さを下側の窓部分の上下方向の長さよりも長くすれば、とくに請求項２または３に記載の構造にすると、作業者が加工状況をより一層確認しやすい。
【００１７】
本考案によれば、上側の窓部分が広いため、水平方向に枠が存在しても、作業者は上側の窓部分から容易に工作機械の加工部を容易に確認できる。一方、水平方向に枠が存在して、下側の窓部分が狭いが、下側の窓部分は加工部に近いレベルに位置しているため、枠が視認の妨害となりにくい。
【考案を実施するための最良の形態】
【００１８】
複数の窓部分の開き幅について工夫をして、加工物の飛び出す比率の高い下側の方の窓部分の上下方向の寸法を狭くして、窓の強度を高くし、加工物が飛び出す比率の低い上側の方の窓部分の上下方向の寸法を広くして、外部からの視認性を高めている。
【００１９】
各窓部分を実質的に矩形（とくに長方形）に構成し、多数の窓部分を格子状に配置するのが好ましい。
【００２０】
最も上側の窓部分の上下方向の長さを最大とし、最も下側の窓部分の上下方向の長さを最小とする。
【００２１】
上側の窓部分の上下方向の長さが隣接する下側の窓部分の上下方向の長さよりも少しずつ長くなっているのが好ましい。ただし、上側の窓部分数段の上下方向の長さを等しく構成し、下側の窓部分数段の上下方向の長さを等しく構成し、これらの間で上記関係が成立するようにしてもよい。
【００２２】
窓部分の上下方向の長さ（寸法）が下側から上側へ順次比例的に大きくなっているのが好ましい。たとえば、窓部分が下側から上側へ一定の割合で順次長くなっているのが好ましい。
【００２３】
以下に示す実施例において、窓は上下方向に配置された６段の窓部分を有するが、６段未満でも良いし７段以上でも良い。また、窓部分は、長方形以外の形状に変化させることができる。
【実施例】
【００２４】
以下、図面を参照して、本考案の実施例を説明する。
【００２５】
図１は、本考案の好適な実施例を示す正面図である。図２は、図１の側面図である。
【００２６】
工作機械１は、本体の加工部に主軸６を備えていて、その先端に設けた回転工具８により被加工物１０を加工するものである。
【００２７】
工作機械１の加工部には、安全ガード１２が設けられている。
【００２８】
安全ガード１２は、工作機械１の加工部の正面及び両側面を覆っていて、回転工具８や被加工物１０が飛び出して作業者に当たることや周辺に飛散するのを防止する。
【００２９】
安全ガード１２は、固定壁１４とスライドドア１６を有する。
【００３０】
固定壁１４は、工作機械１のフレーム１８に固定されている。
【００３１】
固定壁１４には、複数枚たとえば４枚のスライドドア１６が設けられている。各スライドドア１６は、１枚のガラス、たとえば強化プラスチック製の透明なガラスで構成されている。各スライドドア１６は、その側端に引き手１６ａを有しており、これを用いて横方向にスライド可能となっている。スライドドア１６を閉じることにより工作機械１の加工部を外部から遮蔽可能であり、スライドドア１６を開くことにより工作機械１の加工部に外部からアクセス可能である。
【００３２】
各スライドドア１６の中央領域には、１枚の透明ガラスが配置されていて、それに対して格子状の枠１７が設けられている。格子状の枠１７によって、工作機械の加工部を視認するための窓２０が形成されている。なお、工作機械１の両側面の固定壁１４にも格子状の枠１７及び窓２０が設けられている。
【００３３】
１つの窓２０は、１枚のガラスで構成し、上下方向に配置された６段の窓部分２０ａ、２０ｂ、２０ｃ、２０ｄ、２０ｅ、２０ｆからなる。窓部分２０ａ〜２０ｆの各段には、水平方向に３つの窓部分が配置され、全体として１つの窓２０を構成している。
【００３４】
最も上に位置する窓部分２０ａは、作業者の目の高さ付近に設定されている。これは、加工状況を確認する場合、作業者は上方の窓部分から確認することが多いためである。最も下に位置する窓部分２０ｆは、被加工物１０付近に設定されている。これは、特に被加工物１０を間近で確認するときのためである。
【００３５】
最も下側の窓部分（２０ｆ）が横長の長方形であり、かつ、最も上側の窓部分（２０ａ）が縦長の長方形であり、さらに、最も上側の窓部分は、上下方向の長さが左右方向の長さの２倍以上になっており、最も下側の窓部分は、上下方向の長さが左右方向の長さの２分の１以下になっている。
【００３６】
要するに、被加工物等の飛び出す危険度の低い上側の窓部分の上下方向の長さ（寸法）を大きくし、被加工物等の飛び出す危険度の高い下側の窓部分を狭くしている。
【００３７】
互に隣接する窓部分２０ａ〜２０ｆは、上側の窓部分が下側の窓部分よりも広くなっている。すなわち、図示された実施例においては、窓部分２０ａ〜２０ｆは実質的に矩形に構成され、上側の窓部分の上下方向の長さが下側の窓部分の上下方向の長さよりも長くなっていて、窓部分が下側から上側へ順次比例的に広くなるようになっている。
【００３８】
具体的には、窓部分２０ａは窓部分２０ｂよりも広く、窓部分２０ｂは窓部分２０ｃよりも広く、窓部分２０ｃは窓部分２０ｄよりも広く、窓部分２０ｄは窓部分２０ｅよりも広く、窓部分２０ｅは窓部分２０ｆよりも広い。
【００３９】
なお、図示された実施例において、すべての窓部分２０ａ〜２０ｆの水平方向の長さ（幅）は同じである。
【００４０】
このような構成によれば、上側の窓部分２０ａ等が広いため、水平方向に枠１７が存在しても、作業者は、立った状態で目の高さにある上側の窓部分２０ａ等から容易に工作機械の加工部を容易に確認できる。一方、水平方向に枠１７が存在して、下側の窓部分２０ｆ等が狭いが、下側の窓部分は加工部に近いレベルに位置しているため、その低い位置からは、枠１７が視認の妨害となりにくい。
【００４１】
なお、本考案は図示された実施例に限定されない。窓の形状、窓部分の個数及び配段は任意である。窓は水平方向に２個以下の窓部分を有していても良いし、４個以上の窓部分を有していても良い。
【図面の簡単な説明】
【００４２】
【図１】本考案による工作機械の好適な実施例を示す正面図である。
【図２】図１の側面図である。
【符号の説明】
【００４３】
１  工作機械
６  主軸
８  回転工具
１０  被加工物
１２  安全ガード
１４  固定壁
１６  スライドドア
１６ａ  引き手
１７  格子状の枠
１８  フレーム
２０  窓
２０ａ、２０ｂ、２０ｃ、２０ｄ、２０ｅ、２０ｆ  窓部分
【図１】
0003103602.tif 000003
【図２】
0003103602.tif 000004